(57)【特許請求の範囲】
【請求項１】
ハウジング、表示ユニット、反射鏡、撮像ユニット及び処理ユニットを備えるとともに、警備機器に接続されてユーザの識別認証を行う手持ち式眼制御・接眼装置であって、
前記ハウジングは、ユーザが注視するためのウィンドウを有し、ユーザは、前記ハウジングを手で持って前記ウィンドウを介して暗号を入力し、
前記表示ユニットは、前記ハウジング内に設置され、ユーザが暗号入力を行うことができるように、暗号リストを表示し、
前記反射鏡は、前記ハウジング内に設置され、ユーザが前記ウィンドウを介して前記暗号リストを注視することができるように、前記暗号リストの画像を前記ウィンドウへ反射させ、
前記撮像ユニットは、前記ハウジング内に設置され、ユーザが前記ウィンドウを介して前記暗号リストを注視する際、ユーザの眼部を撮影して眼部画像を得て、
前記処理ユニットは、前記眼部画像を分析し、ユーザの入力暗号シリアルを得て、前記入力暗号シリアルと所定の安全暗号とを比べ、
前記安全暗号と前記入力暗号シリアルとが一致する場合、前記処理ユニットが認証成功メッセージを生成し、前記警備機器へ認証成功メッセージを伝送することを特徴とする手持ち式眼制御・接眼装置。
【請求項２】
前記処理ユニットは、
前記眼部画像と、少なくとも１組の前記安全暗号及び身分情報と、を記憶するデータ記憶モジュールと、
前記眼部画像を分析し、ユーザの眼部運動情報及びユーザの身分を判断する画像分析モジュールと、を有し、
前記画像分析モジュールは、眼動分析モジュール及び虹彩認識モジュールを含み、前記眼動分析モジュールは、前記眼部画像に基づいて前記ユーザの眼部運動情報を分析し、ユーザが注視する前記暗号リスト上の複数の目標点を判断し、前記入力暗号シリアルを得て、前記虹彩認識モジュールは前記眼部画像の虹彩特徴を分析して虹彩情報を生成し、前記虹彩情報と所定の身分情報とを比べて正しいユーザか否かを判断することを特徴とする請求項１に記載の手持ち式眼制御・接眼装置。
【請求項３】
接眼装置及び処理コンピュータを備えるとともに、警備機器に接続されてユーザの識別認証を行う手持ち式眼制御・接眼装置を有する暗号入力装置であって、
前記接眼装置は、ユーザが手で持って使用し、ユーザの眼部を覆って暗号入力を行うとともに、
ユーザが注視するウィンドウを有し、ユーザが手で持って前記ウィンドウを介して暗号入力を行うハウジングと、
前記ハウジング内に設置され、暗号リストを表示する表示ユニットと、
前記ハウジング内に設置され、ユーザの眼部を撮影して前記眼部の画像を得る撮像ユニットと、
前記ハウジング内に設置され、ユーザが前記ウィンドウを介して前記暗号リストを注視することができるように、前記暗号リストの画像を前記ウィンドウへ反射させる反射鏡と、
を有し、
前記表示ユニットの前記暗号リストの画像は、前記反射鏡により前記ウィンドウへ反射され、
前記処理コンピュータは、前記接眼装置へ信号を伝達するとともに、前記眼部画像を受信して分析し、ユーザの入力暗号シリアルを得て、前記入力暗号シリアルと所定の安全暗号とを比べ、前記入力暗号シリアルと前記所定の安全暗号とが一致する場合に、前記警備機器へ認証成功メッセージを伝送することを特徴とする手持ち式眼制御・接眼装置を有する暗号入力装置。
【請求項４】
前記処理コンピュータは、
前記眼部画像と、少なくとも１組の前記安全暗号及び身分情報と、を記憶するデータ記憶モジュールと、
前記眼部画像を分析し、ユーザの眼部運動情報及びユーザの身分を判断する画像分析モジュールと、を有し、
前記画像分析モジュールは、眼動分析モジュール及び虹彩認識モジュールを含み、前記眼動分析モジュールは、前記眼部画像に基づいて前記眼部運動情報を分析し、ユーザが注視する前記暗号リスト上の複数の目標点を判断し、前記虹彩認識モジュールは、前記眼部画像の虹彩特徴を分析して虹彩情報を生成し、前記虹彩情報と所定の身分情報とを比べて正しいユーザか否かを判断することを特徴とする請求項３に記載の手持ち式眼制御・接眼装置を有する暗号入力装置。                                                                                           
【発明の詳細な説明】
【技術分野】
【０００１】
本発明は、暗号入力装置及びその方法に関し、特に、手持ち式眼制御・接眼装置（ｅｙｅ  ｃｏｎｔａｃｔｅｄ  ｃｏｎｔｒｏｌｌｉｎｇ  ｄｅｖｉｃｅ）の暗号入力装置及びその方法に関する。
【背景技術】
【０００２】
市販されている金庫、警備機器の大部分は暗号鍵により保護されている。暗号鍵は、コンビネーションが多くて鍵穴が無いため容易に開けられないという長所を有する。暗号鍵は、機械式暗号鍵及び電子式暗号鍵の２種類に分けられる。機械式暗号鍵の長所は電源、電池が必要ないことであり、全体が機械構造であるため、劣悪な外部環境においても耐久性に優れている。電子式暗号鍵は、操作をスピーディに行い、暗号を変更することが容易であるという長所を有する。機械式暗号鍵又は電子式暗号鍵であってもダイヤル又はキーボードにより入力を行うため、スキミングシステムによりスキミングされたり他人に覗かれたりし易い上、ダイヤル及びキーボード上に指紋が残り易く、暗号が漏れる虞があった。
【０００３】
また、上述した従来技術には、隠ぺい性が低いという欠点があり、暗号入力スクリーンが外部環境に晒されているため、近くにいる者から覗き見されたりスキミングされたりする虞がある上、ユーザの身長に対応させて暗号入力装置を設置することができなかった。ユーザの身長が低すぎる場合、操作する際、暗号入力装置に手が届かないことがある一方、ユーザの身長が高すぎる場合、暗号を入力するために屈まなければならないことがあるため、操作が不便であった。
【発明の概要】
【発明が解決しようとする課題】
【０００４】
そのため、本発明の目的は、隠ぺい性が低かった従来技術の問題点を改善し、身長が異なるユーザであっても容易に操作することができる手持ち式眼制御・接眼装置、暗号入力装置、方法及びコンピュータ可読記憶媒体及びコンピュータプログラム製品、を提供することにある。
【課題を解決するための手段】
【０００５】
（１）上記課題を解決するために、本発明の第１の形態によれば、表示ユニット、撮像ユニット及び処理ユニットを備えるとともに、警備機器に接続されてユーザの識別認証を行う手持ち式眼制御・接眼装置であって、前記表示ユニットは、ユーザが暗号入力を行うことができるように、暗号リストを表示し、前記撮像ユニットは、ユーザの眼部を撮影して眼部画像を得て、前記処理ユニットは、前記眼部画像を分析し、ユーザの入力暗号シリアルを得て、前記入力暗号シリアルと所定の安全暗号とを比べ、前記安全暗号と前記入力暗号シリアルとが一致する場合、前記処理ユニットが認証成功メッセージを生成し、前記警備機器へ認証成功メッセージを伝送することを特徴とする手持ち式眼制御・接眼装置が提供される。
【０００６】
（２）ユーザが注視するのに用いるウィンドウを有し、ユーザが手で持って前記ウィンドウを介して暗号を入力するハウジングと、前記ハウジング内に設置され、前記暗号リストの画像を前記ウィンドウへ反射させ、ユーザが注視する反射鏡と、をさらに備えることが好ましい。
【０００７】
（３）前記表示ユニットは、ハウジング内に設置され、前記暗号リストの画像を反射鏡によりウィンドウへ反射し、前記撮像ユニットは、前記ハウジング内に設置され、ユーザが前記ウィンドウを介して前記暗号リストを注視する際、ユーザの眼部を撮影して前記眼部の画像を得ることが好ましい。
【０００８】
（４）前記処理ユニットは、前記眼部画像の虹彩特徴を分析して虹彩情報を生成し、前記虹彩情報と所定の身分情報とを比べることが好ましい。
【０００９】
（５）前記処理ユニットは、前記眼部画像と、少なくとも１組の安全暗号及び身分情報と、を記憶するデータ記憶モジュールと、前記眼部画像を分析し、ユーザの眼部運動情報及びユーザの身分を判断する画像分析モジュールと、を有することが好ましい。
【００１０】
（６）前記画像分析モジュールは、眼動分析モジュール及び虹彩認識モジュールを含み、前記眼動分析モジュールは、前記眼部画像に基づいてユーザの眼部運動情報を分析し、ユーザが注視する前記暗号リスト上の複数の目標点を判断し、前記入力暗号シリアルを得て、前記虹彩認識モジュールは、前記眼部画像に基づいて前記虹彩情報を分析し、正しいユーザか否かを判断することが好ましい。
【００１１】
（７）接眼装置と警備機器とを接続するケーブルをさらに備えることが好ましい。
【００１２】
（８）前記接眼装置と前記警備機器との間で情報を伝達する無線通信ユニットをさらに備え、前記無線通信ユニットが採用する方式は、近距離無線通信、ＲＦＩＤ、Ｂｌｕｅｔｏｏｔｈ（登録商標）又はＷｉＦｉであることが好ましい。
【００１３】
（９）ユーザの眼部に光を照射してユーザの眼球上に輝点を形成し、前記処理ユニットが分析を行う際の参考特徴として用いる光源をさらに備えることが好ましい。
【００１４】
（１０）上記課題を解決するために、本発明の第２の形態によれば、接眼装置及び処理コンピュータを備えるとともに、警備機器に接続されてユーザの識別認証を行う手持ち式眼制御・接眼装置を有する暗号入力装置であって、前記接眼装置は、ユーザが手で持って使用し、ユーザの眼部を覆って暗号入力を行うとともに、暗号リストを表示する表示ユニットと、ユーザの眼部を撮影して前記眼部の画像を得る撮像ユニットと、を有し、前記処理コンピュータは、前記接眼装置へ信号を伝達するとともに、前記眼部画像を受信して分析し、ユーザの入力暗号シリアルを得て、前記入力暗号シリアルと所定の安全暗号とを比べ、前記入力暗号シリアルと前記所定の安全暗号とが一致する場合に、前記警備機器へ認証成功メッセージを伝送することを特徴とする手持ち式眼制御・接眼装置を有する暗号入力装置が提供される。
【００１５】
（１１）前記接眼装置は、ユーザが注視するウィンドウを有し、ユーザが手で持って前記ウィンドウを介して暗号入力を行うハウジングと、前記ハウジング内に設置し、ユーザが注視することができるように、前記暗号リストの画像を前記ウィンドウへ反射させる反射鏡と、を有することが好ましい。
【００１６】
（１２）前記表示ユニットは、前記ハウジング内に設置され、前記反射鏡により前記暗号リストの画像を前記ウィンドウへ反射させ、前記撮像ユニットは、前記ハウジング内に設置され、ユーザは、前記ウィンドウを介して前記暗号リストを注視する際に、ユーザの眼部を撮影して前記眼部の画像を得ることが好ましい。
【００１７】
（１３）前記処理コンピュータは、前記眼部画像の虹彩特徴を分析して虹彩情報を生成し、前記虹彩情報と所定の身分情報とを比べることが好ましい。
【００１８】
（１４）前記処理コンピュータは、前記眼部画像と、少なくとも１組の前記安全暗号及び身分情報と、を記憶するデータ記憶モジュールと、前記眼部画像を分析し、ユーザの眼部運動情報及びユーザの身分を判断する画像分析モジュールと、を有することが好ましい。
【００１９】
（１５）前記画像分析モジュールは、眼動分析モジュール及び虹彩認識モジュールを含み、前記眼動分析モジュールは、前記眼部画像に基づいて前記眼部運動情報を分析し、ユーザが注視する前記暗号リスト上の複数の目標点を判断し、前記虹彩認識モジュールは、前記眼部画像に基づいて前記虹彩情報を分析し、正しいユーザか否かを判断することが好ましい。
【００２０】
（１６）前記接眼装置と前記処理コンピュータとを接続するケーブルをさらに備えることが好ましい。
【００２１】
（１７）前記接眼装置及び前記処理コンピュータは、前記接眼装置と前記処理コンピュータとの間で情報を伝達する無線通信ユニットをそれぞれ有し、前記無線通信ユニットが採用する方式は、近距離無線通信、ＲＦＩＤ、Ｂｌｕｅｔｏｏｔｈ又はＷｉＦｉであることが好ましい。
【００２２】
（１８）前記ユーザの眼部に光を照射し、前記ユーザの眼球上に輝点を形成し、前記処理コンピュータが分析する際の参考特徴として用いる光源をさらに備えることが好ましい。
【００２３】
（１９）前記警備機器は、錠前、金庫、出入管理システム又は身分識別認証装置を含むことが好ましい。
【００２４】
（２０）前記警備機器は、錠前、金庫、出入管理システム又は身分識別認証装置を含むことが好ましい。
【００２５】
（２１）上記課題を解決するために、本発明の第３の形態によれば、手持ち式眼制御・接眼装置を利用する暗号入力方法であって、接眼装置を準備し、前記接眼装置によりユーザの眼部を覆って暗号入力を行うステップと、前記接眼装置内の撮像ユニットによりユーザの眼部画像を撮影し、前記接眼装置内の表示ユニットに暗号リストを生成するステップと、前記接眼装置内の前記撮像ユニットにより前記ユーザの眼部画像を撮影するステップと、画像分析を行い、前記眼部画像を分析して入力暗号シリアルを得るステップと、前記入力暗号シリアルと所定の安全暗号とを比べるステップと、前記安全暗号と前記入力暗号シリアルとが一致する場合、認証成功メッセージを生成して前記認証成功メッセージを警備機器へ伝送するステップと、を含むことを特徴とする手持ち式眼制御・接眼装置を利用した暗号入力方法が提供される。
【００２６】
（２２）前記画像分析ステップは、ユーザ眼部へ光を照射してユーザの眼部上に輝点を形成し、前記画像分析ステップを行うときの参考特徴として用い、ユーザの眼部運動情報を得るステップと、前記眼部運動情報に基づいて、ユーザは、前記暗号リスト上で注視する複数の目標点を判断するステップと、を含むことが好ましい。
【００２７】
（２３）前記眼部画像の虹彩特徴を画像分析して虹彩情報を生成し、前記虹彩情報と所定の身分情報とを比べるステップと、をさらに含むことが好ましい。
【００２８】
（２４）上記課題を解決するために、本発明の第４の形態によれば、コンピュータにインストールして使用され、（２１）〜（２３）の何れか１つの方法をコンピュータに実行させることを特徴とするコンピュータプログラムを記憶したコンピュータ可読記憶媒体が提供される。
【００２９】
（２５）上記課題を解決するために、本発明の第５の形態によれば、コンピュータにインストールして使用され、（２１）〜（２３）の何れか１つの方法をコンピュータに実行させることを特徴とするコンピュータプログラム製品が提供される。
【発明の効果】
【００３０】
本発明の手持ち式眼制御・接眼装置、暗号入力装置、方法及びコンピュータ可読記憶媒体及びコンピュータプログラム製品は、従来技術と比べ、以下（１）及び（２）の効果を有する。
（１）眼制御・接眼装置が分離式であるため、身長が異なるユーザであっても対応することができ、操作が不便となる問題を改善することができる。
（２）眼制御・接眼装置がカバー性を有するため、使用する際、外部の光源によりノイズ及びオーバ露光（ｏｖｅｒ  ｅｘｐｏｓｕｒｅ）が発生することを防ぐことができる。
【図面の簡単な説明】
【００３１】
【図１】図１は、本発明の一実施形態に係る手持ち式眼制御・接眼装置を示すブロック図である。
【図２】図２は、本発明の一実施形態に係る暗号入力装置を示すブロック図である。
【図３】図３は、本発明の第１実施形態を示す斜視図である。
【図４】図４は、本発明の第１実施形態を示す使用図（１）である。
【図５】図５は、本発明の第１実施形態を示す使用図（２）である。
【図６】図６は、本発明の一実施形態に係る接眼装置を示す断面図である。
【図７】図７は、本発明のユーザの眼部を示す撮像図である。
【図８】図８は、本発明の一実施形態に係るモバイル機器を示す模式図である。
【図９】図９は、本発明の第２実施形態を示す使用図（１）である。
【図１０】図１０は、本発明の第２実施形態を示す使用図（２）である。
【図１１】図１１は、本発明の暗号リストを示す模式図である。
【図１２】図１２は、本発明の一実施形態を示す眼動暗号入力方法を示す流れ図である。
【発明を実施するための形態】
【００３２】
以下、本発明の実施例について図に基づいて説明する。なお、これによって本発明が限定されるものではない。
【００３３】
本発明の手持ち式眼制御・接眼装置及び暗号入力装置は、警備機器と組み合わせてユーザの識別認証を行う。本発明の警備機器は、複数の実施態様を有する。詳細には、警備機器は、一般に使われる錠前、金庫でもよいし、ビル、宿舎又は住居における出入管理システムでもよいし、或いは身分識別認証装置（例えば、ＡＴＭシステム又はネットワークＡＴＭ取引の認証）などでもよい。しかし上述した応用例は、実施可能な実施例であり、本発明を特に限定するわけではない。
【００３４】
図１を参照する。図１は、本発明の一実施形態に係る手持ち式眼制御・接眼装置を示すブロック図である。図１に示すように、本発明の一実施形態に係る手持ち式眼制御・接眼装置１０は、警備機器５０に接続され、ユーザの識別認証を行う。手持ち式眼制御・接眼装置１０は、表示ユニット１１、撮像ユニット１２及び処理ユニット１３を含む。表示ユニット１１は、ユーザが暗号入力を行うことができるように、暗号リスト１１１（図１１参照）を表示する。撮像ユニット１２は、ユーザの眼部６０（図５参照）を撮影して眼部を撮影する。処理ユニット１３は、眼部の画像を分析し、ユーザの入力暗号シリアル（ｉｎｐｕｔ  ｃｏｄｅ  ｓｅｒｉａｌ）を得て、入力暗号シリアルと所定の安全暗号とを比べる。安全暗号と入力暗号シリアルとが一致する場合、認証成功メッセージを警備機器５０へ送り、ロックを開く。
【００３５】
処理ユニット１３は、画像出力モジュール１３１、データ記憶モジュール１３２及び画像分析モジュール１３３を含む。データ記憶モジュール１３２は、眼部の画像と、少なくとも１組の安全暗号及び身分情報とを記憶するために用いる。画像出力モジュール１３１は、画像を出力する機能を有し、データ記憶モジュール１３２に予め記憶した暗号リスト１１１を表示ユニット１１上に表示する。画像分析モジュール１３３は、眼動分析モジュール１３４及び虹彩認識モジュール１３５を含む。眼動分析モジュール１３４は、眼部画像に基づいて眼部運動情報を分析し、ユーザが注視している暗号リスト１１１上の複数の目標点を判断する。虹彩認識モジュール１３５は、眼部画像に基づいて虹彩情報を分析し、本当のユーザか否かを判断する。
【００３６】
図２を参照する。図２は、本発明の一実施形態に係る暗号入力装置２０を示すブロック図である。本発明の暗号入力装置２０は、接眼装置３０と、接眼装置３０及び警備機器５０へ信号を伝達する処理コンピュータ（ｐｒｏｃｅｓｓｉｎｇ  ｃｏｍｐｕｔｅｒ）４０と、を含む。接眼装置３０は、ユーザが手で持って使用し、ユーザの眼部６０を覆うことにより、暗号入力ステップを行う（図３及び図４参照）。接眼装置３０は、暗号リスト１１１を表示する表示ユニット３１と、ユーザの眼部６０を撮影して眼部を撮影する撮像ユニット３２と、を含む。処理コンピュータ４０は、撮像ユニット３２が得た眼部画像を分析し、ユーザの眼部の動きにより入力された入力暗号シリアルを得て、入力暗号シリアルと所定の安全暗号とを比べる。処理コンピュータ４０は、入力暗号シリアルと所定の安全暗号とを比べ、両者が一致する場合、認証成功コマンドを生成して警備機器５０へ伝達し、ロックを開ける。
【００３７】
処理コンピュータ４０は、画像出力モジュール４１、データ記憶モジュール４２及び画像分析モジュール４３を含む。データ記憶モジュール４２は、眼部画像と、少なくとも１組の安全暗号及び身分情報と、を記憶するために用いる。画像分析モジュール４３は、眼動分析モジュール４３１及び虹彩認識モジュール４３２を含む。眼動分析モジュール４３１は、眼部画像に基づいて眼部の運動情報を分析するために用い、ユーザが注視している暗号リスト１１１上の複数の目標点を判断するために用いる。虹彩認識モジュール４３２は、眼部画像に基づいて虹彩情報を分析し、本当のユーザか否かを判断する。
【００３８】
図３〜図６を併せて参照する。図３〜図６は、本発明の暗号入力装置を金庫へ応用した場合の実施態様を示す。図３〜図５に示すように、本実施形態では金庫５１と組み合わせて暗号入力装置２０を例に説明するが、実際の製品では手持ち式眼制御・接眼装置１０を組み合わせてもよい。本実施形態の接眼装置３０は、ユーザが手で持ってユーザの眼部６０を覆うために使用する。接眼装置３０と処理コンピュータ４０とは、ケーブル７１を介して接続され、処理コンピュータ４０の側部には、ワイヤ巻取ボックス７２が配設され、ユーザにより暗号入力が完了すると、ワイヤ巻取ボックス７２がリール（図示せず）によりケーブル７１を巻取り、接眼装置３０を元の場所へ設置して収納する。他の実施形態では、接眼装置３０及び処理コンピュータ４０のそれぞれに無線通信ユニットを設置し、接眼装置３０と処理コンピュータ４０との間の通信には、無線通信方式を採用する。無線通信方式には、近距離無線通信（ｓｈｏｒｔ  ｄｉｓｔａｎｃｅ  ｗｉｒｅｌｅｓｓ  ｃｏｍｍｕｎｉｃａｔｉｏｎ）、ＲＦＩＤ（Ｒａｄｉｏ  Ｆｒｅｑｕｅｎｃｙ  Ｉｄｅｎｔｉｆｉｃａｔｉｏｎ）、Ｂｌｕｅｔｏｏｔｈ（登録商標）、ＷｉＦｉ（登録商標）などが含まれるが、これらだけに限定されるわけではない。図６は、接眼装置３０の内部構造を示し、接眼装置３０には、ハウジング３３と、反射鏡３４と、光源３５と、ハウジング３３内に設置された表示ユニット３１及び撮像ユニット３２と、が含まれる。ハウジング３３は、ユーザが注視するのに用いるウィンドウ３３１を有する。ユーザがハウジング３３を手で持つ際、ウィンドウ３３１を介して暗号入力ステップを行い、表示ユニット３１とウィンドウ３３１との間に配設された反射鏡３４により、表示ユニット３１上の暗号リスト１１１をウィンドウ３３１へ反射してユーザが注視できるようにする。撮像ユニット３２及び光源３５をウィンドウ３３１の隣接した箇所へ配設し、ユーザがウィンドウ３３１を介して暗号リスト１１１を注視すると、撮像ユニット３２によりユーザの眼部６０を撮影して眼部の画像を得ることができる。
【００３９】
輝点（ｅｙｅ  ｓｐｏｔ）技術（プルキニエ像（Ｐｕｒｋｉｎｊｅ  Ｉｍａｇｅ）とも称する）に関しては、図７のユーザ眼部の撮像図を併せて参照する。眼部の画像は、認識し易い参考点を含まないことが一般的である上、光源不足又は周囲の環境の散乱光により画像中に多くのノイズが混ざりやすい。そのため、ユーザの眼部６０の移動方向を正確に判断するために、ウィンドウ付近に光源３５を設置し、ユーザの眼部がウィンドウ３３１に近づくと、光源３５がオンされてユーザの眼部６０に光が照射され、ユーザの眼球上に輝点６１が形成され、眼動分析モジュール４３１により分析を行う際に参考特徴として用いてユーザの眼部運動情報を判断する。
【００４０】
図８〜図１０を参照する。図８〜図１０は、本発明の手持ち式眼制御・接眼装置１０の他の実施形態である。本実施形態は、手持ち式眼制御・接眼装置１０の応用方式の一つであるが、実際の製品では、本発明の暗号入力装置２０をバックボーンとして応用してもよいことをここで予め述べておく。前述の手持ち式眼制御・接眼装置１０は、手持ち式モバイル機器８０により実施し、出入管理システム５２（警備機器５０）の制御に応用してもよい。例えば、ユーザは、出入管理システム５２に対応したプログラムをモバイル機器８０にインストールし、ユーザがモバイル機器８０によりプログラムを起動させると、モバイル機器８０内の無線通信ユニット８１と出入管理システム５２との通信を行い、モバイル機器８０により、モバイル機器８０のスクリーン８２（即ち表示ユニット１１）上に暗号リスト１１１を表示すると、モバイル機器８０上の前方設置レンズ８３（即ち撮像ユニット１２）によりユーザの眼部６０を撮影し、ユーザが注視する暗号リスト１１１上の複数の目標点を判断し、ユーザが注視する方向により入力暗号を決定する。
【００４１】
次に図１１を参照する。図１１に示すように、本発明の一実施形態に係る暗号リスト１１１は、リング状に設置され、ユーザは眼で注視することによりカーソル１１２を制御して入力を行う。例えば、ユーザが暗号リスト１１１上に数字１を入力する場合、ユーザは、眼によりカーソル１１２を制御して数字１の格子１１３近くまで移動させ、格子１１３内にカーソル１１２が一定時間留まるときに入力暗号を判断し、暗号入力が完了してユーザがカーソル１１２を下方の入力ボタン１１４へ移動させた場合、暗号がすでに入力されたと判断する。
【００４２】
図１２を参照する。図１２は、眼を動かして暗号入力を行う方法を示す流れ図である。図１２に示すように、眼を動かして暗号入力を行うステップは、以下のステップ（Ｓ２０１〜Ｓ２０７）を含む。
【００４３】
まず、ユーザが手持ち式眼制御・接眼装置１０を手で持ってユーザの眼部６０を覆うと、手持ち式眼制御・接眼装置１０がユーザの眼部６０を探知し、手持ち式眼制御・接眼装置１０内の撮像ユニット１２がユーザの眼部の画像を撮影する（ステップＳ２０１）。画像により眼部の画像上の虹彩特徴を分析して虹彩情報を生成し、この虹彩情報と所定の身分情報とを比べる。このステップＳ２０２は、選択制のステップであり、省略してステップＳ２０１を行った後にステップＳ２０３を直接行ってもよい（ステップＳ２０２）。一致したと判断されると、手持ち式眼制御・接眼装置１０内の表示ユニット１１に暗号リスト１１１が表示される（ステップＳ２０３）。続いて、画像分析ステップを行って眼部画像を分析し、ユーザの眼部の注視方向によりユーザが入力する暗号を判断し、入力暗号シリアルを得る（ステップＳ２０４）。画像分析ステップには、光源３５をオンしてユーザの眼部６０へ光を照射し、ユーザの眼部６０上に輝点６１を形成し、画像分析ステップを行うときの参考特徴として用いてユーザの眼部運動情報を得る。眼部の運動情報に基づき、ユーザが注視している暗号リスト１１１上の複数の目標点を判断する。続いて、ユーザが入力ボタン１１４を押して暗号シリアルの入力を完了すると、入力暗号シリアルと所定の安全暗号とを比べる（ステップＳ２０５）。安全暗号と入力暗号シリアルとが一致する場合、認証の成功メッセージが警備機器５０へ伝達される(ステップＳ２０６)。ステップＳ２０２又はステップＳ２０５において、虹彩情報と所定の身分情報とが一致していないと判断するか、入力暗号シリアルと所定の安全暗号とが一致していないと判断する場合、ロックし続ける（ステップＳ２０７）。
【００４４】
また、本発明のステップは、ソフトウェアにより実施し、光ディスク、ハードディスク、半導体記憶装置などのコンピュータ可読記憶媒体へ記憶させたり、ネットワークを介してコンピュータプログラム製品へ伝送して電子機器にインストールして必要に応じて使用できるようにしてもよい。詳細には、電子機器は、電子制御ロックを備えた金庫、モバイル機器、ビルの出入管理システム、警備システム又はこれらに類似した電子機器又は装置でもよい。
【００４５】
上述したことから分かるように、本発明の手持ち式眼制御・接眼装置、暗号入力装置、方法及びコンピュータ可読記憶媒体及びコンピュータプログラム製品は、ユーザの身長が異なることにより生じる不都合を改善することができる上、接眼装置のカバー性が好ましく、探知する際、外部の光源によりノイズ及びオーバ露光が生じることを防ぐこともできる。
【００４６】
当該分野の技術を熟知するものが理解できるように、本発明の好適な実施例を前述の通り開示したが、これらは決して本発明を限定するものではない。本発明の主旨と領域を逸脱しない範囲で各種の変更や修正を加えることができる。従って、本発明の特許請求の範囲は、このような変更や修正を含めて広く解釈されるべきである。
【符号の説明】
【００４７】
１０  手持ち式眼制御・接眼装置
１１  表示ユニット
１２  撮像ユニット
１３  処理ユニット
２０  暗号入力装置
３０  接眼装置
３１  表示ユニット
３２  撮像ユニット
３３  ハウジング
３４  反射鏡
３５  光源
４０  処理コンピュータ
４１  画像出力モジュール
４２  データ記憶モジュール
４３  画像分析モジュール
５０  警備機器
５１  金庫
５２  出入管理システム
６０  ユーザの眼部
６１  輝点
７１  ケーブル
７２  ワイヤ巻取ボックス
８０  モバイル機器
８１  無線通信ユニット
８２  スクリーン
８３  前方設置レンズ
１１１  暗号リスト
１１２  カーソル
１１３  格子
１１４  入力ボタン
１３１  画像出力モジュール
１３２  データ記憶モジュール
１３３  画像分析モジュール
１３４  眼動分析モジュール
１３５  虹彩認識モジュール
３３１  ウィンドウ
４３１  眼動分析モジュール
４３２  虹彩認識モジュール
【図１】
0005971733.tif 000002
【図２】
0005971733.tif 000003
【図３】
0005971733.tif 000004
【図４】
0005971733.tif 000005
【図５】
0005971733.tif 000006
【図６】
0005971733.tif 000007
【図７】
0005971733.tif 000008
【図８】
0005971733.tif 000009
【図９】
0005971733.tif 000010
【図１０】
0005971733.tif 000011
【図１１】
0005971733.tif 000012
【図１２】
0005971733.tif 000013